(57)【要約】【課題】内部の温度上昇を低コストで防止し得るキャビネットを提供する。【解決手段】被収納体（サーバ１００）を載置可能なキャビネット本体１１と、キャビネット本体１１を覆うカバー部１２とを備えてサーバ１００を収納可能に構成され、カバー部１２には、カバー部１２の外部の空気を導入するための吸気用開口部６１がカバー部の下端部に設けられると共に、カバー部１２の内部の空気を排出するための排気管３を接続可能な排気用開口部６２がカバー部の天井部に設けられている。【選択図】図５
2010114128.tif 000002
【特許請求の範囲】
【請求項１】
被収納体を載置可能なキャビネット本体と、前記キャビネット本体を覆うカバー部とを備えて前記被収納体を収納可能に構成され、
前記カバー部には、当該カバー部の外部の空気を導入するための吸気用開口部が当該カバー部の下端部に設けられると共に、当該カバー部の内部の空気を排出するための排気管を接続可能な排気用開口部が当該カバー部の天井部に設けられているキャビネット。
【請求項２】
前記カバー部は、前記キャビネット本体とは別体に構成されている請求項１記載のキャビネット。
【請求項３】
前記カバー部を構成する壁部材は、柔軟性を有するシート体で構成されている請求項１または２記載のキャビネット。
【請求項４】
前記カバー部の内側には、当該カバー部の内部空間における前記キャビネット本体の設置領域と当該カバー部との間の領域を当該キャビネット本体の前面側の第１領域と当該キャビネット本体の背面側の第２領域とに区画する隔壁が設けられ、
前記排気用開口部は、前記第２領域に連通するように設けられている請求項１から３のいずれかに記載のキャビネット。
【請求項５】
請求項１から４のいずれかに記載のキャビネットと、前記カバー部の前記排気用開口部に取り付けられて当該排気用開口部を介して当該カバー部の内部の前記空気を排気するための排気管とを備えている収納システム。
【発明の詳細な説明】
【技術分野】
【０００１】
本発明は、被収納体を収納するキャビネット、およびそのキャビネットを備えた収納システムに関するものである。
【背景技術】
【０００２】
この種のキャビネットとして、特開２００４−２３０３６号公報に開示された電子機器収納ラックが知られている。この電子機器収納ラックは、底板、天板、左右側板、背板および扉で構成されたラックと、送風箱、ダクトおよびノズルで構成されてラック内に装着される冷却装置とを備えて、ラック内に収納された電子機器から発生する熱をラックの外に排出するように構成されている。この電子機器収納ラックでは、冷却装置における送風箱内の送風ファンによって室内（ラックの外）の空気を床側から取り込み、ダクトを介して各ノズルからその空気を送風する。この際に、ノズルから吹き出した空気が、ラック内に収納された電子機器に吹き付けられて、電子機器の周囲の熱気を吹き飛ばし、あるいは熱交換して、電子機器およびその周囲が冷却される。また、電子機器の周囲から吹き飛ばされた熱気あるいは熱交換された空気は、ラック内の通風空間を上昇して、側板の上部に設けられている換気口から排気ファンを介してラックの外（室内）に排気される。
【特許文献１】特開２００４−２３０３６号公報（第６−７頁、第１−３図）
【発明の開示】
【発明が解決しようとする課題】
【０００３】
ところが、従来の電子機器収納ラックには、以下の問題点がある。すなわち、この電子機器収納ラックでは、ラック内に取り込んだ室内（ラックの外）の空気によって電子機器およびその周囲を冷却し、ラック内の熱気（熱交換された空気）をラックの換気口からラックの外、つまり室内に排気している。一方、この電子機器収納ラックが設置される室内の温度は、電子機器収納ラックから排気される熱気によって上昇する。この場合、室内の温度が上昇するに従い、上記のような冷却効果を十分に発揮することができなくなり、ラック内の温度も上昇する。このため、ラック内に電子機器としてのサーバが収納されているときには、サーバが有するオーバーヒート防止機能によってサーバから警報が発せられたり、最悪の場合にはサーバの電源が遮断されたりすることとなる。このような事態の発生を防止するため、この種の電子機器収納ラックが設置される室内では、大形の空調設備によって温度上昇を防止する措置を講じることが不可欠となっている。したがって、従来のこの種の電子機器収納ラックでは、大形の空調設備の稼動によって多大な電力消費が発生しており、この点がコスト面および省エネルギーの観点から課題となっている。
【０００４】
本発明は、かかる問題点に鑑みてなされたものであり、内部の温度上昇を低コストで防止し得るキャビネットおよび収納システムを提供することを主目的とする。
【課題を解決するための手段】
【０００５】
上記目的を達成すべく請求項１記載のキャビネットは、被収納体を載置可能なキャビネット本体と、前記キャビネット本体を覆うカバー部とを備えて前記被収納体を収納可能に構成され、前記カバー部には、当該カバー部の外部の空気を導入するための吸気用開口部が当該カバー部の下端部に設けられると共に、当該カバー部の内部の空気を排出するための排気管を接続可能な排気用開口部が当該カバー部の天井部に設けられている。
【０００６】
また、請求項２記載のキャビネットは、請求項１記載のキャビネットにおいて、前記カバー部は、前記キャビネット本体とは別体に構成されている。
【０００７】
また、請求項３記載のキャビネットは、請求項１または２記載のキャビネットにおいて、前記カバー部を構成する壁部材は、柔軟性を有するシート体で構成されている。
【０００８】
さらに、請求項４記載のキャビネットは、請求項１から３のいずれかに記載のキャビネットにおいて、前記カバー部の内側には、当該カバー部の内部空間における前記キャビネット本体の設置領域と当該カバー部との間の領域を当該キャビネット本体の前面側の第１領域と当該キャビネット本体の背面側の第２領域とに区画する隔壁が設けられ、前記排気用開口部は、前記第２領域に連通するように設けられている。
【０００９】
また、請求項５記載の収納システムは、請求項１から４のいずれかに記載のキャビネットと、前記カバー部の前記排気用開口部に取り付けられて当該排気用開口部を介して当該カバー部の内部の前記空気を排気するための排気管とを備えている。
【発明の効果】
【００１０】
請求項１記載のキャビネットおよび請求項５記載の収納システムでは、外部の空気を導入するための吸気用開口部と内部の空気を排出するための排気管を接続可能な排気用開口部とが設けられてキャビネット本体を覆うカバー部を備えてキャビネットが構成されている。このため、このキャビネットおよび収納システムでは、カバー部の排気用開口部に取り付けた排気管を屋外に配管することで、キャビネットの内部に収納した被収納体から放出された熱によって温度上昇した温風を排気管を通して屋外に排出させることができる。したがって、このキャビネットおよび収納システムによれば、キャビネットが設置された設置室内への温風の排出が防止される結果、設置室内への温風の排出による設置室内の温度上昇、およびそれに伴うキャビネットの内部（カバー部の内部）の温度上昇を大形の空調設備を用いることなく低コストで確実に防止することができる。また、このキャビネットおよび収納システムでは、吸気用開口部がカバー部の下端部に設けられ、排気用開口部がカバー部の天井部に設けられているため、設置室の床面近くの比較的温度の低い空気をカバー部の下端部から効率的に導入することができると共に、上方に上昇する温風をカバー部の天井部から効率的に排出することができる。
【００１１】
また、請求項２記載のキャビネットおよび請求項５記載の収納システムでは、カバー部がキャビネット本体とは別体に構成されている。このため、このキャビネットおよび収納システムでは、キャビネット本体を設置した状態のままで、カバー部だけを交換することができる。したがって、このキャビネットおよび収納システムによれば、例えば、破損等に起因してカバー部を交換する必要が生じたときに、カバー部の交換作業を容易に行うことができる。
【００１２】
さらに、請求項３記載のキャビネットおよび請求項５記載の収納システムでは、カバー部を構成する壁部材が柔軟性を有するシート体で構成されている。このため、このキャビネットおよび収納システムによれば、カバー部を軽量に構成することができると共に、製作コストを十分に低く抑えることができる。
【００１３】
また、請求項４記載のキャビネットおよび請求項５記載の収納システムでは、カバー部の内部空間におけるキャビネット本体の設置領域とカバー部との間の領域をキャビネット本体の前面側の第１領域とキャビネット本体の背面側の第２領域とに区画する隔壁がカバー部の内側に設けられ、排気用開口部が第２領域に連通するように設けられている。このため、このキャビネットおよび収納システムによれば、カバー部の吸気用開口部から導入された常温の空気と温度上昇した排気との混合を少なく抑えることができる結果、キャビネット本体の内部に収納された被収納体の冷却効率を十分に向上させることができる。
【発明を実施するための最良の形態】
【００１４】
以下、本発明に係るキャビネットおよび収納システムの最良の形態について、添付図面を参照して説明する。
【００１５】
最初に、収納システム１の構成について説明する。図１に示す収納システム１は、本発明に係る収納システムの一例であって、キャビネット２、排気管３および排気機構４を備えて構成されている。
【００１６】
キャビネット２は、本発明に係るキャビネットの一例であって、図１に示すように、キャビネット本体１１およびカバー部１２を備えて、被収納体の一例としての電子機器（例えば、同図に示すサーバ１００）を収納可能に構成されている。キャビネット本体１１は、本発明におけるキャビネット本体の一例であって、図２，３に示すように、４本の支柱２１と、各支柱２１によって支持される複数（この例では、５枚）の棚板２２を備えて、サーバ１００を複数載置可能に構成されている。この場合、キャビネット本体１１は、支柱２１に対する各棚板２２の上下方向の位置を変更可能に構成されている。
【００１７】
カバー部１２は、本発明におけるカバー部の一例であって、図１，５に示すように、キャビネット本体１１とは別体に構成されて、キャビネット本体１１を覆うことが可能に構成されている。具体的には、カバー部１２は、図４に示すように、４本の支持部材４１、並びに各支持部材４１に取り付けられた前面板（扉）５１，５１、背面板５２、側面板５３，５３および天板５４（この場合、各板５１〜５４が本発明における壁部材に相当する）を備えて全体として縦長の箱状に構成されている。また、カバー部１２は、図５に示すように、キャビネット本体１１を覆った状態（設置状態）において、各板５１〜５４がキャビネット本体１１から所定の距離だけ離間するようにその大きさが規定されている。この場合、このカバー部１２では、キャビネット本体１１を外部から視認可能とするために、各板５１〜５４が光透過性を有する板材（例えば、光透過性を有する樹脂板やガラス板）で構成されている。
【００１８】
また、図４，５に示すように、前面板５１，５１、背面板５２および側面板５３，５３は、各々の下端部が、支持部材４１の下端部から所定の長さだけ上方に位置するように取り付けられている。このため、図５に示すように、カバー部１２（キャビネット２）が設置される床面と各板５１〜５３との間に隙間が形成されており、この隙間がカバー部１２の外部の空気をカバー部１２の内部に導入するための吸気用開口部６１として機能する。また、天板５４には、排気管３を接続可能な排気用開口部６２が形成されている。この場合、排気用開口部６２は、後述する第２領域７２に連通するようにその形成位置（具体的には、天板５４における背面板５２側の位置）が規定されている。
【００１９】
さらに、カバー部１２の内側には、図４，５に示すように、カバー部１２の内部空間の中心部に向けて突出する隔壁５５が設けられている。この場合、隔壁５５は、側面板５３，５３の内面における奥行き方向（前面板５１側から背面板５２側に向かう方向）の中間部位において上下方向に沿って形成されると共に、天板５４の内面における奥行き方向の中間部位において幅方向（一方の側面板５３から他方の側面板５３に向かう方向）に沿って形成されている。この隔壁５５は、図５に示すように、キャビネット本体１１を覆った状態において、カバー部１２の内部空間におけるキャビネット本体１１の設置領域とカバー部１２との間の領域を、キャビネット本体１１の前面１１ａ側の第１領域７１とキャビネット本体１１の背面１１ｂ側の第２領域７２とに区画する機能を有している。
【００２０】
排気管３は、図５に示すように、カバー部１２の排気用開口部６２に取り付けられると共に、図１に示すように、キャビネット２のカバー部１２とキャビネット２が設置されている設置場所（例えば、同図に示す設置室２００）の外部（屋外３００）との間に配管されている。排気機構４は、例えば排気ファンで構成されて、排気管３を介してカバー部１２の内部の空気を屋外３００に排出させる。
【００２１】
次に、収納システム１の使用方法の一例について、図面を参照して説明する。
【００２２】
この収納システム１は、例えば、図１に示すように、設置室２００内において稼動させるサーバ１００を収納する際に使用される。収納システム１をこのような形態で使用する際には、設置室２００内の所定位置にキャビネット本体１１を設置する。次いで、そのキャビネット本体１１を覆うようにしてカバー部１２を設置する。この場合、カバー部１２の設置に際しては、まず、支持部材４１をキャビネット本体１１を取り囲むようにして配置し、続いて、図４に示すように、前面板５１，５１、背面板５２、側面板５３，５３および天板５４を支持部材４１に取り付けてカバー部１２を組み立てる。
【００２３】
次いで、カバー部１２の内側（側面板５３，５３および天板５４の内面）に隔壁５５を取り付ける。この場合、図５に示すように、各板５１〜５４がキャビネット本体１１から所定の距離だけ離間するようにカバー部１２の設置位置（支持部材４１の配置位置）を調整する。この状態では、同図に示すように、カバー部１２の内部空間におけるキャビネット本体１１の設置領域とカバー部１２の各板５１〜５４との間の領域が、カバー部１２の内側に設けられている隔壁５５によってキャビネット本体１１の前面１１ａ側の第１領域７１とキャビネット本体１１の背面１１ｂ側の第２領域７２とに区画される。
【００２４】
続いて、図１に示すように、排気機構４を、例えば設置室２００の外壁２０１に設置する。次いで、キャビネット２のカバー部１２と屋外３００（設置室２００の外部）との間に排気管３を配管して、排気管３の一端部をカバー部１２の排気用開口部６２に取り付けると共に、排気管３の他端部を排気機構４に接続する。以上により、収納システム１の設置が完了する。続いて、設置したキャビネット２におけるキャビネット本体１１の棚板２２の上にサーバ１００を載置して収納する。
【００２５】
上記のようにして設置した収納システム１におけるキャビネット２の内部に収納したサーバ１００を稼動させている状態では、サーバ１００から熱が放出される。一方、この収納システム１では、図５に矢印で示すように、カバー部１２の外部（設置室２００内）の常温の空気がカバー部１２の吸気用開口部６１からカバー部１２の内部に導入される。この際に、カバー部１２の内部に導入された空気は、第１領域７１を通ってサーバ１００の前面側（キャビネット本体１１の前面１１ａ側）から吸気され、サーバ１００から放出された熱によって温度上昇し、これによってサーバ１００の周囲の温度が所定の温度以下に維持される（冷却される）。
【００２６】
一方、図５に矢印で示すように、サーバ１００からの熱によって温度上昇した空気（温風）は、サーバ１００内の排気ファン（図示せず）によってサーバ１００の背面側（キャビネット本体１１の背面１１ｂ側）からカバー部１２の第２領域７２に排出される。この際に、第２領域７２に排出された温風は、第２領域７２を通ってカバー部１２の天井部に上昇し、排気機構４による吸引によって排気用開口部６２および排気管３を通って屋外３００に排出される。
【００２７】
この場合、この収納システム１では、上記したように、サーバ１００から放出された熱によって温度上昇した温風が排気管３を通って屋外３００に排出されるため、設置室２００内への温風の排出が防止されている。このため、この収納システム１では、設置室２００内への温風の排出による設置室２００内の温度上昇、および設置室２００内の温度上昇によるキャビネット２の内部（カバー部１２の内部）の温度上昇を大形の空調設備を用いることなく低コストで防止することが可能となっている。また、この収納システム１では、上記したように、カバー部１２の内部空間におけるキャビネット本体１１の設置領域とカバー部１２の各板５１〜５４との間の領域が、隔壁５５によってキャビネット本体１１の前面１１ａ側の第１領域７１とキャビネット本体１１の背面１１ｂ側の第２領域７２とに区画されている。このため、図５に示すように、カバー部１２の吸気用開口部６１から導入された常温の空気は、第１領域７１を通ってサーバ１００の前面側から吸気され、サーバ１００内の排気ファン（図示せず）によってサーバ１００の背面側（キャビネット本体１１の背面１１ｂ側）から第２領域７２排出された温風は、第１領域７１への流入が少なく抑えられつつ屋外３００に排出される。つまり、この収納システム１では、カバー部１２の外部から導入した常温の空気と温度上昇した温風との混合が少なく抑えられている。このため、この収納システム１では、カバー部１２の外部から導入した常温の空気によるサーバ１００の冷却効率を向上させることが可能となっている。
【００２８】
このように、このキャビネット２および収納システム１では、外部の空気を導入するための吸気用開口部６１と内部の空気を排出するための排気管３を接続可能な排気用開口部６２とが設けられてキャビネット本体１１を覆うカバー部１２を備えてキャビネット２が構成されている。このため、このキャビネット２および収納システム１では、カバー部１２の排気用開口部６２に取り付けた排気管３を屋外３００に配管することで、キャビネット２に収納したサーバ１００から放出された熱によって温度上昇した温風を排気管３を通して屋外３００に排出させることができる。したがって、このキャビネット２および収納システム１によれば、キャビネット２が設置された設置室２００内への温風の排出が防止される結果、設置室２００内への温風の排出による設置室２００内の温度上昇、およびそれに伴うキャビネット２の内部（カバー部１２の内部）の温度上昇を大形の空調設備を用いることなく低コストで確実に防止することができる。また、このキャビネット２および収納システム１によれば、吸気用開口部６１がカバー部１２の下端部に設けられ、排気用開口部６２がカバー部１２の天井部に設けられているため、設置室２００の床面近くの比較的温度の低い空気をカバー部１２の下端部から効率的に導入することができると共に、上方に上昇する温風をカバー部１２の天井部から効率的に排出することができる。
【００２９】
また、このキャビネット２および収納システム１では、カバー部１２がキャビネット本体１１とは別体に構成されている。このため、このキャビネット２および収納システム１では、キャビネット本体１１を設置した状態のままで、カバー部１２だけを交換することができる。したがって、このキャビネット２および収納システム１によれば、例えば、破損等に起因してカバー部１２を交換する必要が生じたときに、カバー部１２の交換作業を容易に行うことができる。
【００３０】
また、このキャビネット２および収納システム１では、カバー部１２の内部空間におけるキャビネット本体１１の設置領域とカバー部１２の各板５１〜５４との間の領域をキャビネット本体１１の前面１１ａ側の第１領域７１とキャビネット本体１１の背面１１ｂ側の第２領域７２とに区画する隔壁５５がカバー部１２の内側に設けられ、排気用開口部６２が第２領域７２に連通するように設けられている。このため、このキャビネット２および収納システム１によれば、カバー部１２の吸気用開口部６１から導入された常温の空気と温度上昇した排気との混合を少なく抑えることができる結果、サーバ１００の冷却効率を十分に向上させることができる。
【００３１】
なお、本発明は、上記した構成に限定されない。例えば、カバー部１２をキャビネット本体１１とは別体に構成した例について上記したが、カバー部１２をキャビネット本体１１と一体に構成することもできる。また、カバー部１２を構成する壁部材としての各板５１〜５４を光透過性を有する板材で構成した例について上記したが、これらの各板５１〜５４の材質は特に限定されず、金属材料や木材等の任意の材料を用いることができる。この場合、各板５１〜５４に代えて、柔軟性を有するシート体で壁部材を構成することもできる。この構成によれば、カバー部１２を軽量に構成することができると共に、製作コストを十分に低く抑えることができる。
【００３２】
また、サーバ１００等の電子機器を収納する例について上記したが、キャビネット２に収納する被収納体は特に限定されず、任意のものを収納できるのは勿論である。さらに、排気機構４を備えることなく、カバー部１２の内部の空気（サーバ１００から排出される温風）を排気管３を介して屋外３００（設置室２００の外部）に自然排気させる構成を採用することもできる。また、キャビネット本体１１の前面１１ａ、背面１１ｂ、側面および天面に板部材を配設してキャビネット本体１１を箱状に構成して、前面１１ａに配設した板部材に吸気口を設けると共に、背面１１ｂに配設した板部材に排気口を設ける構成を採用することもできる。
【００３３】
また、各々の下端部を支持部材４１の下端部から所定の長さだけ上方に位置するように各板５１〜５３を取り付けることで、カバー部１２における下端部の四方（前面側、背面側および両側面側）に吸気用開口部６１を形成した構成例について上記したが、背面板５２および側面板５３の下端部が支持部材４１の下端部と同じ位置となるように（床面と各板５２，５３との間に隙間が生じないか、または僅かな隙間となるように）各板５２，５３を取り付けて、カバー部１２の前面側のみに吸気用開口部６１を形成した構成を採用することもできる。この場合、隔壁５５の下端部が支持部材４１の下端部と同じ位置となるように隔壁５５を構成して、第１領域７１および第２領域７２をカバー部１２の上端部から下端部に至るまで区画する構成を採用することもできる。さらに、キャビネット本体１１の底部や、カバー部１２における支持部材４１の下端部にキャスタを取り付けて、キャビネット本体１１およびカバー部１２を容易に移動可能とする構成を採用することもできる。
【図面の簡単な説明】
【００３４】
【図１】収納システム１の構成を示す構成図である。
【図２】前面１１ａ側から見たキャビネット本体１１の斜視図である。
【図３】背面１１ｂ側から見たキャビネット本体１１の斜視図である。
【図４】カバー部１２の斜視図である。
【図５】キャビネット２の断面図である。
【符号の説明】
【００３５】
１  収納システム
２  キャビネット
３  排気管
４  排気機構
１１  キャビネット本体
１１ａ  前面
１１ｂ  背面
１２  カバー部
２１  支柱
２２  棚板
４１  支持部材
５１  前面板
５２  背面板
５３  側面板
５４  天板
５５  隔壁
６１  吸気用開口部
６２  排気用開口部
７１  第１領域
７２  第２領域
１００  サーバ
２００  設置室
２０１  外壁
３００  屋外
【図１】
2010114128.tif 000003
【図２】
2010114128.tif 000004
【図３】
2010114128.tif 000005
【図４】
2010114128.tif 000006
【図５】
2010114128.tif 000007